(57)【特許請求の範囲】
【請求項１】
写真フィルムを巻き回して得られるロール体を同ロール体の外周面との接当を介して保持するベルト部材を有し、前記ロール体は前記ベルト部材を介して回転操作可能に設けられているフィルムマガジンであって、
前記ロール体を前記ベルト部材を介して支持する一対の回転ローラと、前記ロール体を前記一対の回転ローラに押し付けるダンサーローラとが設けられており、これによって、前記ロール体は、前記ロール体の外径に拘わらず常に前記一対の回転ローラと接し、その結果、前記ロール体の外径に応じて前記ロール体の回転中心は移動するように構成されているフィルムマガジン。
【請求項２】
前記ロール体の外径に拘わらず前記ベルト部材に張力を保持するためのテンションプーリが前記ロール体を挟んで前記一対の回転ローラの反対側に配置されており、前記ダンサーローラは、前記テンションプーリの支持部材上に回転自在に支持されている請求項１に記載のフィルムマガジン。
【請求項３】
前記ダンサーローラは、静止状態の前記支持部材上にて前記一対の回転ローラに対して相対移動可能に支持されており、且つ、前記一対の回転ローラに近接する向きに付勢されている請求項２に記載のフィルムマガジン。
【請求項４】
写真フィルムを巻き回して得られるロール体を同ロール体の外周面との接当を介して保持するベルト部材を有し、前記ロール体は前記ベルト部材を介して回転操作可能に設けられているフィルムマガジンであって、
前記ロール体を前記ベルト部材を介して支持する一対の回転ローラが設けられており、これによって、前記ロール体は、前記ロール体の外径に拘わらず常に前記一対の回転ローラと接し、その結果、前記ロール体の外径に応じて前記ロール体の回転中心は移動するように構成されており、
前記ロール体を前記ベルト部材から解放して、外部に取り出すために、前記一対の回転ローラの少なくとも一方の軸芯が移動可能に設けられているフィルムマガジン。
【請求項５】
写真フィルムを巻き回して得られるロール体を同ロール体の外周面との接当を介して保持するベルト部材を有し、前記ロール体は前記ベルト部材を介して回転操作可能に設けられているフィルムマガジンであって、
前記ロール体の外径に拘わらず前記ベルト部材に張力を保持するためのテンションプーリが設けられており、
前記ベルト部材は、前記写真フィルムのパーフォレーション部と接当する２本のベルト部材であり、
前記テンションプーリと、前記テンションプーリを支持するための変位可能な支持部材とを有する一対のテンション付与機構が、前記２本のベルト部材の個々に対応して互いに独立して設けられているフィルムマガジン。
【請求項６】
前記支持部材の姿勢を、前記ロール体の外径に拘わらず前記ベルト部材に張力を保持するように付勢する付勢手段が、前記２本のベルト部材の個々に対応して互いに独立して設けられている請求項５に記載のフィルムマガジン。
【請求項７】
写真フィルムを巻き回して得られるロール体を同ロール体の外周面との接当を介して保持するベルト部材を有し、前記ロール体は前記ベルト部材を介して回転操作可能に設けられているフィルムマガジンであって、
前記ロール体を前記ベルト部材を介して支持する一対の回転ローラが設けられており、これによって、前記ロール体は、前記ロール体の外径に拘わらず常に前記一対の回転ローラと接し、その結果、前記ロール体の外径に応じて前記ロール体の回転中心は移動するように構成されており、前記一対の回転ローラの少なくとも一方は、前記ベルト部材を回動させる駆動ローラであり、
前記駆動ローラの外周には係合歯が形成されており、前記ベルト部材は、前記駆動ローラの前記係合歯と噛合するタイミングベルトであり、前記ロール体と接していない前記タイミングベルトの部位を支持して、前記部位を所定の経路に沿って駆動させるためのタイミングプーリが、前記２本のタイミングベルトの個々に対応して対をなすように、且つ、前記一対のタイミングプーリどうしが相対回転可能に設けられているフィルムマガジン。
【請求項８】
写真フィルムを巻き回して得られるロール体を同ロール体の外周面との接当を介して保持するベルト部材を有し、前記ロール体は前記ベルト部材を介して回転操作可能に設けられているフィルムマガジンであって、
前記ロール体をその内周面で支持するコアが設けられており、
前記コアを、前記コアの回転中心付近で回転自在に支持する軸部材が設けられており、前記軸部材の、前記コア上に巻き付けられたフィルムの量に応じた移動を所定の線分内に規制する規制手段が設けられているフィルムマガジン。
【請求項９】
前記軸部材は前記コアの両側面から突出したコア軸であり、前記規制手段は、前記コア軸を受け入れ可能で、前記線分に沿って延びたガイド溝である請求項８に記載のフィルムマガジン。
【発明の詳細な説明】
【０００１】
【発明の属する技術分野】
本発明は、写真フィルムを取り出し可能に収納するフィルムマガジンに関する。
【０００２】
【従来の技術】
上記のフィルムマガジンとしては、特開昭５６−４２２２７号公報に記載された写真焼付用カートリッジが知られている。この写真焼付用カートリッジでは、図１５−イ、ロに示すように、コア２０１によって一定方向に巻取られる長尺の格納用テープ２０３が形成するテープロール２０６の間に複数のピースフィルムＰＮを、スプライスすることなく順次挟み込んで格納し、また、格納されていたピースフィルムＰＮを、巻取られた格納用テープ２０３を巻戻すことによって順次抽出しては、プリンタ装置の露光部まで搬送し、印画紙に焼き付けすることができる。
【０００３】
また、上記のフィルムマガジンの別の従来例として、特開平７−６４１９９号公報に記載されたフィルム連続供給装置が知られている。このフィルム連続供給装置では、図１６に示されるように、支持軸２１２上に回転自在に支持されたコア２１４と、コア２１４の外周を内側に向かって押し付ける４個のローラ部材２１６とがケース部材２１０内に設けられており、ケース部材２１０の一角に設けられた送りローラ２２０によって、フィルムをコア２１４とローラ部材２１６の間に送り込むことによって、やはり、互いにスプライスされていない複数のフィルムでも、フィルムの断続部で互いに重ね合わせて格納するという手法をとることによって、出し入れすることができる。
【０００４】
【発明が解決しようとする課題】
上記の特開昭５６−４２２２７号公報に開示された従来技術によるフィルムマガジンでは、収納しようとするフィルムの総全長と匹敵する長さの格納用テープが必要となるので、寸法的に嵩張るフィルムマガジンとなり易く、また、経済性と利便性のために格納用テープを長期間連続使用すると、格納用テープ２０３の表面に塵埃などが蓄積する可能性がある。また、格納用テープ２０３をピースフィルムＰＮと共に巻取るためのコア２０１の軸芯は所定位置に固定されているため、形成される前記ロール２０６の外径が、巻取るフィルムの数量や長さに応じて拡大することに応じて、ピースフィルムＰＮの通過経路Ｐは変化せざるを得ない構成であった。したがって、ピースフィルムＰＮの出し入れを十分に円滑に行うためには、ロール２０６を外側から押さえ込む圧着ローラ２０７の位置や、圧着ローラ２０７とフィルム搬送ローラ２０８の間においてピースフィルムＰＮをガイドするガイド部材２０９の位置を、ピースフィルムＰＮの通過経路Ｐの変化に沿って変更する必要があり、結果として、フィルムマガジン全体の構造が複雑になってしまうという欠点があった。
【０００５】
他方、特開平７−６４１９９公報に開示されたフィルムマガジンでは、格納媒体としての格納用テープは不要である点で有利であるが、コア２１４上に形成されるフィルムロールは、限定された数（実施形態では４個）のローラ部材２１６によって外周から直に押し付け保持されているだけであるという理由から、また、形成されたフィルムロールが外径寸法の変化に拘わらずローラ部材２１６で押さえられるように、ローラ部材２１６の位置はローラ支持アーム２１５の揺動と共に移動可能に設けられているが、このローラ支持アーム２１５の揺動姿勢によっては、ローラ部材２１６からフィルムロールに対して作用する押し付け力の方向は完全に求心的ではないという理由から、特に、形成されたフィルムロールの外形の真円度が低い場合などにはフィルムの安定した保持を行い難いという欠点があった。さらに、フィルムをマガジンに対して出し入れする操作に際して、ローラ部材２１６がフィルムとの間に異常な摩擦を生じてフィルム面を損傷しないためには、ローラ部材２１６がマガジン内に格納されたフィルムロールの外周面上で円滑に転動する必要があり、この円滑度が低下しないための常に細心の注意が必要であった。
【０００６】
したがって、本発明の目的の一つは、上に例示した従来技術によるフィルムマガジンの持つ前述した欠点に鑑み、表面に塵埃などが蓄積する可能性のある格納用テープなどを用いる必要がなく、またそのため、寸法的にコンパクトな装置にし易いマガジンを提供することにある。
本発明の他の目的は、格納するフィルムの全長に応じて、形成されるフィルムロールの外径が変化しても、マガジンのフィルム出入口におけるフィルムの通過経路が変化しないフィルムマガジンを提供することにある。
本発明のもう一つの目的は、フィルムロールの外形の真円度が低い場合でも、フィルムをマガジン内で安定して保持可能なフィルムマガジンを提供することにある。
本発明のさらに別の目的は、フィルムをマガジンに対して出し入れする際に、フィルムマガジン側とフィルムとの間に摩擦を生じる可能性のより少ないフィルムマガジンを提供することにある。
【０００７】
【課題を解決するための手段】
上記目的を達成するために、本発明の請求項１によるフィルムマガジンは、写真フィルムを巻き回して得られるロール体を同ロール体の外周面との接当を介して保持するベルト部材を有し、前記ロール体は前記ベルト部材を介して回転操作可能に設けられているフィルムマガジンであって、前記ロール体を前記ベルト部材を介して支持する一対の回転ローラと、前記ロール体を前記一対の回転ローラに押し付けるダンサーローラとが設けられており、これによって、前記ロール体は、前記ロール体の外径に拘わらず常に前記一対の回転ローラと接し、その結果、前記ロール体の外径に応じて前記ロール体の回転中心は移動するように構成されていることを特徴構成としている。
【０００８】
このような特徴構成を備えているために、本発明の請求項１によるフィルムマガジンでは、ロール体は、ロール体の外径に拘わらず常に一対の回転ローラと接し、その結果、ロール体の外径に応じてロール体の回転中心は移動し、格納するフィルムの全長に応じてロール体の外径が変化しても、マガジンの出入口におけるフィルムの通過経路が変化しないので、この経路変化に対処するための複雑な部品が不要となり、さらに、ロール体を一対の回転ローラに押し付けるダンサーローラが設けられているので、マガジン内に形成されたフィルムロールを円形に保持するための力の一部をこのダンサーローラに負担させ、タイミングベルトに必要な張力を低下させることができる。また、同上のダンサーローラによってフィルムロールの回転駆動の開始時など、フィルムロールの回転駆動の加速、減速時におけるフィルムロールの揺れを抑制することができて都合が良い。
【０００９】
ところで、ロール体をその外周と接して保持するベルトの必要な長さは、ロール体の径、すなわち、格納されているフィルムの全長によって変化するが、ロール体の外径に拘わらずベルト部材に張力を保持するためのテンションプーリを設ければ、ロール体の外径変化に基づくベルト部材の弛みが防止されて、その結果、フィルムの巻き始めから巻き終わりまで、常に安定してロール体を保持、および、回転駆動できる。加えて、テンションプーリが、ロール体を挟んで一対の回転ローラの反対側に配置された構成とすれば、ロール体の径の増減に応じて、ロール体を挟んで一対の回転ローラの反対側に広がったり縮んだりする空き領域を利用してダンサーローラとテンションプーリを配置できるので、結果的にフィルムマガジン全体の外形をよりコンパクトにできて都合が良く、この時、ダンサーローラは、テンションプーリの支持部材上に回転自在に支持された構成とすれば良い。
【００１０】
ダンサーローラは、静止状態の支持部材上にて一対の回転ローラに対して相対移動可能に支持されており、且つ、一対の回転ローラに近接する向きに付勢された構成とすれば、ロール体の径の増減に応じたテンションプーリとその支持部材の位置変化に拘わらず、常にダンサーローラとロール体の間の接当が維持されて都合が良い。
【００１１】
上記目的を達成するために、本発明の請求項４によるフィルムマガジンは、写真フィルムを巻き回して得られるロール体を同ロール体の外周面との接当を介して保持するベルト部材を有し、前記ロール体は前記ベルト部材を介して回転操作可能に設けられているフィルムマガジンであって、前記ロール体を前記ベルト部材を介して支持する一対の回転ローラが設けられており、これによって、前記ロール体は、前記ロール体の外径に拘わらず常に前記一対の回転ローラと接し、その結果、前記ロール体の外径に応じて前記ロール体の回転中心は移動するように構成されており、前記ロール体を前記ベルト部材から解放して、外部に取り出すために、前記一対の回転ローラの少なくとも一方の軸芯が移動可能に設けられていることを特徴構成としている。
【００１２】
このような特徴構成を備えているために、本発明の請求項４によるフィルムマガジンでは、ロール体は、ロール体の外径に拘わらず常に一対の回転ローラと接し、その結果、ロール体の外径に応じてロール体の回転中心は移動し、格納するフィルムの全長に応じてロール体の外径が変化しても、マガジンの出入口におけるフィルムの通過経路が変化しないので、この経路変化に対処するための複雑な部品が不要となり、しかも、必要に応じてロール体をフィルムマガジン外へ取り出すことができるので都合が良い。
【００１３】
上記目的を達成するために、本発明の請求項５によるフィルムマガジンは、写真フィルムを巻き回して得られるロール体を同ロール体の外周面との接当を介して保持するベルト部材を有し、前記ロール体は前記ベルト部材を介して回転操作可能に設けられているフィルムマガジンであって、前記ロール体の外径に拘わらず前記ベルト部材に張力を保持するためのテンションプーリが設けられており、前記ベルト部材は、前記写真フィルムのパーフォレーション部と接当する２本のベルト部材であり、前記テンションプーリと、前記テンションプーリを支持するための変位可能な支持部材とを有する一対のテンション付与機構が、前記２本のベルト部材の個々に対応して互いに独立して設けられていることを特徴構成としている。
【００１４】
このような特徴構成を備えているために、本発明の請求項５によるフィルムマガジンでは、ベルト部材は、写真フィルムのパーフォレーション部と接当する２本のベルト部材とすれば、格納されるフィルムは主にパーフォレーション部のみを介して保持、駆動されるので、フィルムの画像部に傷が生じ難く都合が良く、しかも、テンションプーリと、テンションプーリを支持するための変位可能な支持部材とを有する一対のテンション付与機構が、２本のベルト部材の個々に対応して互いに独立して設けられているので、２本のベルト部材の間に長さの違いが存在する場合でも、２本のベルト部材の双方が駆動ローラ、および、ロール体の外周面と（滑りなどが生じない状態で）確実に接当することができ、結果的にフィルムの蛇行現象などを未然に防止し易い。
【００１５】
さらに、支持部材の姿勢を、ロール体の外径に拘わらずベルト部材に張力を保持するように付勢する付勢手段をも、２本のベルト部材の個々に対応して互いに独立して設けられている構成としても良い。
【００１６】
上記目的を達成するために、本発明の請求項７によるフィルムマガジンは、写真フィルムを巻き回して得られるロール体を同ロール体の外周面との接当を介して保持するベルト部材を有し、前記ロール体は前記ベルト部材を介して回転操作可能に設けられているフィルムマガジンであって、前記ロール体を前記ベルト部材を介して支持する一対の回転ローラが設けられており、これによって、前記ロール体は、前記ロール体の外径に拘わらず常に前記一対の回転ローラと接し、その結果、前記ロール体の外径に応じて前記ロール体の回転中心は移動するように構成されており、前記一対の回転ローラの少なくとも一方は、前記ベルト部材を回動させる駆動ローラであり、前記駆動ローラの外周には係合歯が形成されており、前記ベルト部材は、前記駆動ローラの前記係合歯と噛合するタイミングベルトであり、前記ロール体と接していない前記タイミングベルトの部位を支持して、前記部位を所定の経路に沿って駆動させるためのタイミングプーリが、前記２本のタイミングベルトの個々に対応して対をなすように、且つ、前記一対のタイミングプーリどうしが相対回転可能に設けられていることを特徴構成としている。
【００１７】
このような特徴構成を備えているために、本発明の請求項７によるフィルムマガジンでは、ロール体は、ロール体の外径に拘わらず常に一対の回転ローラと接し、その結果、ロール体の外径に応じてロール体の回転中心は移動し、格納するフィルムの全長に応じてロール体の外径が変化しても、マガジンの出入口におけるフィルムの通過経路が変化しないので、この経路変化に対処するための複雑な部品が不要となる。また、前記一対の回転ローラの少なくとも一方は、前記ベルト部材を回動させる駆動ローラであるから、駆動ローラをモータなどで駆動制御することによって、ベルト部材の回動操作の制御が可能となり、その結果、ベルト部材の駆動ローラに巻き回された部分とロール体との間に挟まれることで実現される、フィルムマガジン（或いは内部のロール体）に対するフィルムの搬入および搬出の速度を制御することも可能となる。しかも、駆動ローラの外周には係合歯が形成されており、ベルト部材は、駆動ローラの係合歯と噛合するタイミングベルトであるので、モータ等によって駆動ローラに与えられる回転がベルト部材に確実に且つ正確に伝えられ、結果的にフィルムの格納および引き出しを正確に制御することができ、更に、ロール体と接していないタイミングベルトの部位を支持して、部位を所定の経路に沿って駆動させるためのタイミングプーリが、２本のタイミングベルトの個々に対応して対をなすように、且つ、一対のタイミングプーリどうしが相対回転可能に設けられているので、仮に、一方タイミングベルトがいずれかのタイミングプーリに対して歯飛びを起こしても、これがタイミングベルトの弛みや過剰に張力が掛かる等の現象を引き起こし難い。その結果、フィルムの蛇行現象などが未然に防止される。
【００１８】
上記目的を達成するために、本発明の請求項８によるフィルムマガジンは、写真フィルムを巻き回して得られるロール体を同ロール体の外周面との接当を介して保持するベルト部材を有し、前記ロール体は前記ベルト部材を介して回転操作可能に設けられているフィルムマガジンであって、前記ロール体をその内周面で支持するコアが設けられており、前記コアを、前記コアの回転中心付近で回転自在に支持する軸部材が設けられており、前記軸部材の、前記コア上に巻き付けられたフィルムの量に応じた移動を所定の線分内に規制する規制手段が設けられていることを特徴構成としている。
【００１９】
このような特徴構成を備えているために、本発明の請求項８によるフィルムマガジンでは、ロール体をその内周面で支持するコアを設けているので、フィルムが未だ全く格納されていない状態から格納を開始する際、先ずフィルムどうしを巻き回すことで出発用のロール体をマガジン外で作り、これをマガジン内のベルトの内周面に装填するという面倒な作業が不要となり、駆動ロールを回転させながら、マガジン内のベルトの内周面に既に装填されているコアとベルト部材の境界面に、格納したいフィルムの先端を差し込むだけで格納が開始されるので都合が良い。さらに、コアを、前記コアの回転中心付近で回転自在に支持する軸部材が設けられており、前記軸部材の、コア上に巻き付けられたフィルムの量に応じた移動を所定の線分内に規制する規制手段が設けられているので、コアの回転駆動の開始時など、コアの回転駆動の加速、減速時におけるコアの揺れ、および、その他の原因によるコアの蛇行を抑制することができる。この場合、前記ダンサーローラを省略することができる。
【００２０】
前記軸部材は前記コアの両側面から突出したコア軸であり、前記規制手段は、前記コア軸を受け入れ可能で、前記線分に沿って延びたガイド溝である構成としても良い。他方、コアの両側面の中心に凹部を設け、軸部材をフィルムマガジンのケース体上に移動可能に支持されつつ、前記凹部内に受け入れられる軸としても良い。
【００２４】
本発明によるその他の特徴および利点は、以下図面を用いた実施形態の説明により明らかになるであろう。
【００２５】
【発明の実施の形態】
本発明の実施形態の一例について図面に基づいて解説する。
図１から５は、本発明によるフィルムマガジンの一実施形態を示している。
ここに示されたフィルムマガジン１は、図３に示されるように、平滑度の高い内側面４ｉ，４ｉを備えたケース部材４を備えている。内側面４ｉ，４ｉどうしは３５ｍｍフィルムＰＦ１より僅かに広い幅をもって離間しており、両内側面４ｉ，４ｉの間には、外部からの回転駆動力で回転操作可能な駆動ローラとしてのタイミングプーリ６と、回転軸芯を水平向きに固定されたタイミングプーリ８，１０ａ，１０ｂ，１０ｃ，１０ｄ，１０ｅ，１０ｆが回転自在に支持されている。
さらに、両内側面４ｉ，４ｉの間には、樹脂製の円筒状のコア４０が、回転自在、軸芯移動自在、且つ、ケース部材４から取り出し自在に収納されている。コア４０の幅寸法は、内側面４ｉ，４ｉ内で自由に、しかも「がたつき」のない状態で移動および回転できるように決められている。
また、ケース部材４内には、ゴム製の無端のタイミングベルト３０が設けられており、その一端はコア４０の外周に巻き回され、タイミングベルト３０の残りの部分は、タイミングプーリ６，８の間を通過した後、図１および図２などに示すように、軸芯が固定されたタイミングプーリ１０ａ，１０ｂ，１０ｃ，１０ｄ，１０ｅ，１０ｆの外周に巻き回されている。そして、ケース部材４内には、タイミングベルト３０に一定量以上の張力を加えるためのテンションプーリ１６ａ，１６ｂが設けられているので、コア４０は、タイミングベルト３０によって常にタイミングプーリ６，８の側に引き寄せられている。言い換えれば、タイミングプーリ６，８は、コア４０または後述する要領でコア４０上に形成されるフィルムのロール体を、タイミングベルト３０を介して支持する一対の回転部材を構成しており、その結果、コア４０上に巻き付けられるフィルムの量に拘わらず、常に安定してコア４０または前記ロール体をケース部材４内にて保持できる。
尚、図１および図３に示されるように、タイミングベルト３０は、主に写真フィルムのパーフォレーション部とのみ接当する２本のベルト部材３０ａ，３０ｂからなる。また、コア４０も図３に示されるように、幅方向の中間部位に環状の凹部が形成されているので、写真フィルムをその画像部を除く領域で、言い換えれば、主にパーフォレーション部のみで支持することができる。
【００２６】
テンションプーリ１６ａ，１６ｂは、ケース部材４上に軸芯１２ａ周りで揺動可能に設けられたロッド１２の先端に更に揺動自在に支持されたブラケット１４上に回転自在に設けられており、ブラケット１４は、付勢機構によって、ロッド１２を介してコア４０向きに付勢されている。前記付勢機構は、ケース部材４内に回転自在にしかし軸芯位置移動不能に設けられたプーリ２４と、一端が軸芯１２ａ付近に連結され、他端がロッド１２の中間位置に設けられたピン１２ｂに固定されたコイルバネ２６からなる。コイルバネ２６の中間部分は、回転自在なプーリ２４に巻き回されている。常に収縮しようとするコイルバネ２６の弾性回復力は、ピン１２ｂおよびロッド１２の先端部を介して、ブラケット１４ならびにテンションプーリ１６ａ，１６ｂを、タイミングプーリ６，８の間に設けられたフィルムガイド４５向きに付勢するために、タイミングベルト３０に張力が維持される結果、タイミングベルト３０によって取り囲まれたコア４０は、タイミングプーリ６，８の側に引き寄せられることになる。
駆動ローラとしての、タイミングプーリ６は、これと同心状に支持されたギヤ７と一体的に回転するように設けられており、そして、ギヤ７と噛み合うようにプリンタプロセッサー側に設けられ、図示されないステップモータなどで回転駆動される駆動ギヤ５０によって回転制御可能となっている。タイミングプーリ６が外力で回転操作されると、タイミングベルト３０と、タイミングベルト３０の一部に内接したコア４０も回動される。
一対のタイミングプーリ６，８の間には、平滑な面を持った一対のフィルムガイド４５がフィルム出入口として水平に設けられている。
そこで、タイミングプーリ６ならびにタイミングベルト３０を、図２の矢印の方向に回転させながら、フィルムガイド４５からピースフィルムＰＦ１などをタイミングプーリ６向きに挿入すると、ピースフィルムＰＦ１の先端は、タイミングプーリ６上のタイミングベルト３０とコア４０との間に挟持されつつ、先ず、タイミングプーリ６とコア４０の接線方向に引き取られ、次に、ピースフィルムＰＦ１の全体がコア４０の外周上に巻き付けられて行く、言い換えれば、コア４０の外周面とコア４０上に巻き付けられているタイミングベルト３０との間に収納されて行く。
【００２７】
さらに、ピースフィルムＰＦ１に引き続いて、多数のピースフィルムＰＦ２，．．ＰＦｎが次々に挿入されると、これらも全て、同様に、コア４０とタイミングベルト３０との間に収納できる。以上の操作によって、図４に示されるように、コア４０の外周上には、（タイミングプーリ６の回転操作により、コア４０とタイミングベルト３０の間に挟まれたロール体ＲＭも、タイミングベルト３０を介して回動されるので）ピースフィルムＰＦからなるロール体ＲＭが形成されるが、このロール体ＲＭ内では、常に、最初に挿入したピースフィルムＰＦ１（ロール体ＲＭの最も内側に位置し、コア４０に接している）に始まり、最後に挿入したピースフィルムＰＦｎ（ロール体ＲＭの最も外側に位置し、タイミングベルト３０に接している）に至るまで、その挿入した際の順番が全て維持されている。
以上から理解されるように、一対のタイミングプーリ６，８は、写真フィルムを巻き回して得られるロール体ＲＭを保持し、同時に、ロール体ＲＭを回転駆動する機能を果たしている。
また、常にロール体ＲＭが、一対のタイミングプーリ６，８に押し付けられている構成であるので、格納するフィルムの全長に応じてロール体ＲＭの外径が変化しても、マガジンのフィルム出入口におけるフィルムの姿勢、すなわち、フィルム通過経路としてのフィルムガイド４５からフィルムが進入する角度ならびにフィルムガイド４５へ排出される角度は変化しない。
さらに、コア４０とタイミングベルト３０の間に挟まれたフィルムのロール体ＲＭは、格納するフィルムの全長に応じて変化するフィルムロールの外径に拘わらず、また、ロール体ＲＭの外形の真円度が低い場合でも、その外周からタイミングベルト３０によって常に求心的に押し付けられているので、フィルムをマガジン内で安定して保持可能な上に、できたフィルムのロールの形状を保持するためにローラ部材などで直に押さえ付けることがないので、フィルムをマガジンに対して出し入れする際に、フィルムマガジン側とフィルムとの間に摩擦を生じる可能性が少ない。
そして、形成されるフィルムのロール体ＲＭを同ロールＲＭの外周側からの力で転がすことによって格納するので、スプールが外力で強制的に回転駆動され、そのスプールの外周にフィルムが巻き付けられる構成と異なり、スプールによってフィルムが内側から絞られて、フィルムの面どうしの間に摩擦を伴う周方向の「ずれ」が生じない。
図４に示されるように、格納されるフィルムの全長が長くなると、ロール体ＲＭの外径も増大し、その結果、タイミングベルト３０のより大きな部分がロール体ＲＭの外周に巻き回されることとなるが、この余分な長さのタイミングベルト３０は、ブラケット１４ならびにテンションプーリ１６ａ，１６ｂが、付勢機構のコイルバネ２６の引っ張り力に抗してフィルムガイド４５から離間することによって供給される。
【００２８】
また、ブラケット１４には、一対のアーム２０ａ，２０ｂが揺動可能に設けられており、このアーム２０ａ，２０ｂの個々の先端にはそれぞれダンサーローラ１８ａ，１８ｂが回転自在に設けられている。ダンサーローラ１８ａ，１８ｂの各々は、ブラケット１４からフィルムガイド４５向きに突出しており、ブラケット１４とアーム２０ａ，２０ｂの間に架け渡された引っ張りコイルバネ２２ａ，２２ｂが収縮しようとする付勢力の作用によって、ダンサーローラ１８ａ，１８ｂは、コア４０またはコア４０上に形成されたロール体ＲＭと接当し、これらを、ロール体の径に拘わらず、常に一対のタイミングプーリ６，８に対して押し付け維持している。
すなわち、ダンサーローラ１８ａ，１８ｂは、タイミングプーリ６ならびにタイミングベルト３０によってロール体ＲＭの回転操作が開始される瞬間および停止される瞬間などに、コア４０またはコア４０と一体化したロール体ＲＭが自重に基づいて起こし易い、ふらつき又は揺れの現象を最小限度に抑制することができる。また、ダンサーローラ１８ａ，１８ｂは、タイミングベルト３０が主に担っている、ロール体ＲＭを円形に保持する機能の一部を負担することによって、タイミングベルト３０に必要な張力を低下させることができる。
【００２９】
尚、テンションプーリ１６ａ，１６ｂは、ロール体ＲＭを挟んで一対のタイミングプーリ６，８の反対側に配置されているので、ロール体ＲＭの径の増減に応じて、ロール体ＲＭを挟んで一対のタイミングプーリ６，８の反対側で広がったり縮んだりする空き領域に、ダンサーローラ１８ａ，１８ｂならびにテンションプーリ１６ａ，１６ｂを配置することができる。
【００３０】
また、図５に示されるように、タイミングプーリ８の軸芯を含むケース体４ｂの部分は、同プーリに巻かれているタイミングベルト３０の部分と共に、タイミングプーリ１０ｂの軸芯を中心にして、上方に揺動移動可能に設けられているので、必要に応じて、コア４０またはロール体ＲＭをタイミングベルト３０から解放して、フイルムマガジン１の外部に取り出したり、再びタイミングベルト３０を巻き回された状態でフイルムマガジン１内に挿入することができる。
【００３１】
〔別実施形態〕
＜１＞図６に示されるように、ダンサーローラ１９ａ，１９ｂを、ブラケット１５に対して軸芯位置を変更不能に支持しておき、代わりに、上記実施形態では軸芯を固定されていたタイミングプーリ１０ｃを、コイルバネ２１等で外向きに付勢維持された、もう一つのテンションプーリ１０ｔとしても、上記の実施形態と同様に、ロール体の径の増減に応じたテンションプーリとその支持部材の位置変化に拘わらず、常にダンサーローラとロール体の間の接当が維持される構成が実現できる。
【００３２】
＜２＞或いは、図７に例示されるように、ダンサーローラの代わりに、ロール体ＲＭを周囲に形成するためのコア４２に、これを回転自在に支持するための軸４２ａを設け、この軸４２ａの移動方向を制限する長孔４ｃをケース体４ａなどに形成しておくことによって、始動時または停止時の揺れを防止しても良い。すなわち、前記揺れは一対のタイミングプーリ６，８の軸芯どうしを結ぶ線分と平行な向きを持つので、前記線分とほぼ直角に延びる長孔４ｃによってこの揺れを防止できる。
【００３３】
＜３＞尚、互いにスプライスされていない複数のフィルムでも、図４に例示されるように、ピースフィルムどうしの切り替わり部で互いに重ね合わせて格納するという手法をとることによって（例えば画像の一齣どうしを重ね合わせれば良い）、多数のピースフィルムを連続的に出し入れすることができる。この時、図４に示されるように、先に格納したフィルム（ＰＦ１）の後端が、後から格納するフィルム（ＰＦ２）の先端の上に重なるように格納して行けば良い。このような要領で格納しておけば、引き続き格納を続ける場合に、このフィルムどうしの切り替わり部がコア４０と共にケース体４内を一周後、再び一対のタイミングプーリ６，８の内側を通過する際に、後続側のフィルム（ＰＦ１）の先端が外径側に起き上がって、一対のタイミングプーリ６，８の間から外部に飛び出る事態が防止されて、所定のタイミングプーリ６とロール体ＲＭの間に進入する。同様に、格納されたフィルムの引き出しの際に、後続側のフィルム（ＰＦ１）の先端が、先行フィルム（ＰＦ２）の後端から離れて、タイミングプーリ６とロール体ＲＭの間に進入してしまう事態が防止されて、先行フィルム（ＰＦ２）の後端に押さえられた姿勢を維持することによって、所定のガイド４５内に導かれるので、首尾良く途切れなく引き出される。
各実施形態では、互いに分離した多数のピースフィルムを格納するケースを例に挙げて解説したが、互いにスプライスされた状態の長尺フィルムでも格納できることは言うまでもない。
【００３４】
＜４＞また、写真フィルムを巻き回して得られるロール体を保持するベルト部材としては、必ずしもタイミングベルトである必要はなく、柔軟性を備えた帯状の部材であれば良く、例えば、両面が平坦な通常のベルト、或いは、Ｏ−リングを用いることもできる。
【００３５】
＜５＞図８から１４に示される実施形態のように、２系統のテンションローラを設けても良い。
すなわち、ここに示されたフィルムマガジン１０１は、図１０、１１に示されるように、平滑度の高い内側面１０４ｉ，１０４ｉを備えたステンレス鋼など金属製のケース部材１０４を備えている。内側面１０４ｉ，１０４ｉどうしは３５ｍｍフィルムＰＦ１より僅かに広い幅をもって離間しており、両内側面１０４ｉ，１０４ｉの間には、外部からの回転駆動力で回転操作可能な駆動ローラとしてのタイミングプーリ１０６と、回転軸芯を水平向きに固定されたタイミングプーリ１０８，１１０ａ，１１０ｂ，  １１０ｃ，１１０ｄ，１１０ｅ，１１０ｆが回転自在に支持されている。
さらに、両内側面１０４ｉ，１０４ｉの間には、樹脂製の円筒状のコア１４０が、回転自在、軸芯移動自在、且つ、ケース部材１０４から取り出し自在に収納されている。コア１４０の幅寸法は、内側面１０４ｉ，１０４ｉ内で自由に、しかも「がたつき」のない状態で移動および回転できるように決められている。
また、ケース部材１０４内には、一対のゴム製の無端のタイミングベルト３０が設けられており、その一端はコア１４０の外周に巻き回され、タイミングベルト３０の残りの部分は、タイミングプーリ１０６，１０８の間を通過した後、軸芯がケース部材１０４に固定されたタイミングプーリ１１０ａ，１１０ｂ，１１０ｃ，１１０ｄ，１１０ｅ，１１０ｆの外周に巻き回されている。そして、ケース部材１０４内には、タイミングベルト３０に一定量以上の張力を加えるためのテンションプーリ１１６，１１７が設けられているので、コア１４０は、タイミングベルト３０によって常にタイミングプーリ１０６，１０８の側に引き寄せられている。言い換えれば、タイミングプーリ１０６，１０８は、コア１４０（または、後述する要領でコア１４０上に形成されるフィルムのロール体）を、タイミングベルト３０を介して支持する一対の回転部材を構成しており、その結果、コア１４０上に巻き付けられるフィルムの量に拘わらず、常に安定してコア１４０または前記ロール体をケース部材１０４内にて保持できる。
尚、図９に示されるように、タイミングベルト３０は、主に写真フィルムのパーフォレーション部とのみ接当する２本のベルト部材３０ａ，３０ｂからなる。
【００３６】
この実施形態においては、図８に最も良く示されるように、テンションプーリ１１６，１１７は、２本のタイミングベルト３０ａ，３０ｂ毎に独立して設けられている。すなわち、図９の左側に示されるタイミングベルト３０ａに張力を与える１１６Ｌ，１１７Ｌおよび、図９の右側に示されるタイミングベルト３０ｂに張力を与える１１６Ｒ，１１７Ｒである。テンションプーリ１１６，１１７を位置変更可能に支持する支持部材としてのテンションアーム１１２もまた、２本のタイミングベルト３０ａ，３０ｂ毎に独立して設けられている。すなわち、ケース部材１０４に対して互いに独立して揺動可能な左右一対のテンションアーム１１２Ｌ，１１２Ｒが設けられており、左側のテンションプーリ１１６Ｌ，１１７Ｌは、テンションアーム１１２Ｌ上に、右側のテンションプーリ１１６Ｒ，１１７Ｒは、テンションアーム１１２Ｒ上に、それぞれ回転自在に支持されている。テンションアーム１１２Ｌ，１１２Ｒはステンレス鋼などの剛性材料で形成されている。
【００３７】
各テンションアーム１１２Ｌ，１１２Ｒは、ケース部材１０４上に軸芯１１２ａ周りで揺動可能に設けられており、付勢機構によって、常にテンションアーム１１２Ｌ，１１２Ｒの遊端がタイミングプーリ１０６，１０８に接近する姿勢に付勢されている。前記付勢機構は、ケース部材１０４外に回転自在に但し軸芯位置移動不能に設けられたプーリ１２４Ｌ，１２４Ｒと、一端がテンションアーム１１２Ｌ，１１２Ｒの中間位置に設けられたピン１１２ｂに固定されプーリ１２４に巻き回されたワイヤロープ１２５Ｌ，１２５Ｒと、ワイヤロープ１２５の他端を、タイミングプーリ１０６，１０８から引き離すように引っ張るために一端をケース部材１０４上に固定されたコイルバネ１２６Ｌ，１２６Ｒからなる。
このように、タイミングベルト３０，３０に掛かる張力を所定量以上に保持するためのテンションプーリと、テンションプーリを支持するための変位可能な支持部材としてのテンションアームと、テンションアームの姿勢をロール体の外径に拘わらずタイミングベルト３０，３０に掛かる張力が保持されるように付勢する付勢機構とが、二本のタイミングベルト３０，３０の個々に対応して独立して設けられているので、何らかの原因でタイミングベルト３０，３０の片方が伸びてしまう等、二本のタイミングベルト３０，３０どうしの間に或程度の長さの相違が生じても、タイミングベルト３０，３０には所定量以上の張力が維持されるので、伸びた方のタイミングベルト３０が、駆動ローラとしてのタイミングプーリ１０６上を空回りする等の誤動作が防止される。
【００３８】
図１１に示されるように、駆動ローラとしてのタイミングプーリ１０６は、これと同心状に支持されたギヤ１０７と一体的に回転するように設けられており、そして、ギヤ７と噛み合うようにフィルム巻き取り装置またはプリンタプロセッサー側に設けられ、図示されないステップモータなどで回転駆動される駆動ギヤ５０によって回転制御可能となっている。タイミングプーリ１０６が外力で図２の矢印向きに回転操作されると、タイミングベルト３０と、タイミングベルト３０の一部に内接したコア１４０も、各々矢印の方向に回動される。
一対のタイミングプーリ６，８の間には、平滑な面を持った一対のフィルムガイド１４５がフィルム出入口として水平に設けられている。
そこで、タイミングプーリ１０６ならびにタイミングベルト３０を、図２の矢印の方向に回転させながら、フィルムガイド１４５からピースフィルムＰＦ１などをタイミングプーリ１０６向きに挿入すると、ピースフィルムＰＦ１の先端は、タイミングプーリ１０６上のタイミングベルト３０とコア１４０との間に挟持されつつ、先ず、タイミングプーリ６とコア１４０の接線方向に引き取られ、次に、ピースフィルムＰＦ１の全体がコア１４０の外周上に巻き付けられて行く、言い換えれば、コア１４０の外周面とコア１４０上に巻き付けられているタイミングベルト３０との間に収納されて行く。
【００３９】
さらに、ピースフィルムＰＦ１に引き続いて、多数のピースフィルムＰＦ２，．．ＰＦｎが次々に挿入されると、これらも全て、同様に、コア１４０とタイミングベルト３０との間に収納できる。以上の操作によって、図１２に示されるように、コア１４０の外周上には、（タイミングプーリ１０６の回転操作により、コア１４０とタイミングベルト３０の間に挟まれたロール体ＲＭも、タイミングベルト３０を介して回動されるので）多数のピースフィルムＰＦからなるロール体ＲＭが形成されるが、このロール体ＲＭ内では、常に、最初に挿入したピースフィルムＰＦ１（ロール体ＲＭの最も内側に位置し、コア１４０に接している）に始まり、最後に挿入したピースフィルムＰＦｎ（ロール体ＲＭの最も外側に位置し、タイミングベルト３０に接している）に至るまで、その挿入した際の順番が全て維持されている。
以上から理解されるように、一対のタイミングプーリ１０６，１０８は、写真フィルムを巻き回して得られるロール体ＲＭを常にフィルムガイド１４５近傍に保持し、同時に、ロール体ＲＭを回転駆動する機能を果たしている。
また、常にロール体ＲＭが、一対のタイミングプーリ１０６，１０８に押し付けられている構成であるので、言い換えれば、一対のタイミングプーリ１０６，１０８は、コア１４０またはロール体ＲＭを、タイミングプーリ１０６とコア１４０が作る接線またはタイミングプーリ１０６とロール体ＲＭとが作る接線の方向が、フィルムガイド１４５の案内方向とほぼ一致する姿勢で保持することができる。したがって、格納するフィルムの全長に応じてロール体ＲＭの外径が変化しても、マガジンのフィルム出入口におけるフィルムの姿勢、すなわち、フィルム通過経路としてのフィルムガイド１４５からフィルムが進入する角度ならびにフィルムガイド１４５へ排出される角度は変化せず、スムースなフィルムの出し入れが確保される。
さらに、コア１４０とタイミングベルト３０の間に挟まれたフィルムのロール体ＲＭは、格納するフィルムの全長に応じて変化するフィルムロールの外径に拘わらず、また、ロール体ＲＭの外形の真円度が低い場合でも、その外周からタイミングベルト３０によって常に求心的に押し付けられているので、フィルムをマガジン内で安定して保持可能な上に、できたフィルムのロールの形状を保持するためにローラ部材などで直に押さえ付けることがないので、フィルムをマガジンに対して出し入れする際に、フィルムマガジン側とフィルムとの間に摩擦を生じる可能性が少ない。
そして、形成されるフィルムのロール体ＲＭを同ロールＲＭの外周側からの力で転がすことによって格納するので、スプールが外力で強制的に回転駆動され、そのスプールの外周にフィルムが巻き付けられる構成と異なり、スプールによってフィルムが内側から絞られて、フィルムの面どうしの間に摩擦を伴う周方向の「ずれ」が生じない。
また、タイミングベルト３０の回転駆動を介してロール体ＲＭを回転駆動するので、スプールが外力で強制的に回転駆動され、そのスプールの外周にフィルムが巻き付けられる構成と異なり、タイミングベルト３０の駆動速度さえ一定にすれば、形成されたロール体ＲＭの外径の変化に拘わらず、フィルムマガジン内に進入するフィルムのフィルムガイド１４５付近における速度、および、フィルムマガジン内から引き出されるフィルムのフィルムガイド１４５付近における速度は一定となる。
【００４０】
この実施形態では、前述の実施形態を解説した図２に記されたようなダンサーローラ１８ａ，１８ｂは省略されている。タイミングプーリ１０６ならびにタイミングベルト３０によってロール体ＲＭの回転操作が開始される瞬間および停止される瞬間などに、コア１４０またはロール体ＲＭが自重に基づいて起こすふらつき又は揺れの現象は、ロール体ガイド機構によって抑制されている。
前記ロール体ガイド機構は、コア１４０の中心に固定された金属製の軸部材１４０ｓと、ケース部材１０４の内側に設けられた一対のガイド溝６０，６０からなる。軸部材１４０ｓは、コア１４０の両側面から数ｍｍずつ突出するように、コア１４０の幅よりも長めに設定されており、一対のガイド溝６０，６０は、この軸部材１４０ｓの突出した部位を収納することによって、コア１４０の移動方向を図１２の矢印で示した直線方向のみに規制する。
【００４１】
また、図１３（イ）に示されるように、ケース部材１０４は、タイミングプーリ１０６を支持する上部ケース１０４ａと、タイミングプーリ１０８を支持する下部ケース１０４ｂとに分離形成されており、上部ケース１０４ａは、図１３（ロ）に示されるように、下部ケース１０４ｂに設けられた軸芯Ｘ回りで下部ケース１０４ｂに対して揺動可能である。
そして、下部ケース１０４ｂには、樹脂製のガイド溝形成部材６０ａ，６０ａが取り付けられており、このガイド溝形成部材６０ａ，６０ａの各対向面に前述した一対のガイド溝６０，６０が形成されている。ガイド溝６０，６０は、タイミングプーリ１０６とタイミングプーリ１０８の各軸芯どうしを結ぶ線分に対してほぼ直角に交差するように、フィルムガイド１４５から最も離間した第１端部６０ｃからフィルムガイド１４５に最も近接した第２端部６０ｄまで、直線状に延びている。  第１端部６０ｃは、コア１４０の軸部材１４０ｓをガイド溝６０，６０内に受け入れるための開口部となっており、第１端部６０ｃには、コア１４０の軸部材１４０ｓの出し入れを容易にするための案内面６０ｅが形成されている。そこで、上部ケース１０４ａを下部ケース１０４ｂに対して揺動させて図１３（ロ）や図１４のように開いた上で、コア１４０の軸部材１４０ｓをガイド溝６０，６０内に挿入すると、テンションアーム１１２Ｌ，１１２Ｒ等からなる前記付勢機構とタイミングベルト３０の張力の作用で、コア１４０は、ガイド溝６０，６０の第２端部６０ｄ側に付勢される。ガイド溝６０，６０の第２端部６０ｄは閉じられているので、上部ケース１０４ａを下部ケース１０４ｂに対して揺動させて開いた際に、上記付勢力によってフィルムマガジン１０１外に飛び出さない。
【００４２】
因みに、ガイド溝６０，６０の長さ、言い換えれば、第１端部６０ｃと第２端部６０ｄの位置は、図１３（イ）に示されたような、全くフィルムが巻き付けられていない状態のコア１４０が、タイミングプーリ１０６とタイミングプーリ１０８の双方に十分に接近してこれらのプーリと接線を形成可能となることを、閉じられた第２端部６０ｄが阻害しないように、そして、図１２に示されたような、フィルムが最大量まで巻き付けられた状態のコア１４０でも、第１端部６０ｃからガイド溝６０，６０を逸脱することのないように決められている。
コア１４０をフィルムマガジン１０１内にセットする際には、先ず、上部ケース１０４ａを下部ケース１０４ｂに対して揺動させて開き、コア１４０を、その外周の一部に一対のタイミングベルト３０，３０を巻き掛けながらガイド溝６０，６０内に挿入し、上部ケース１０４ａを下部ケース１０４ｂに対して逆向きに揺動させて閉じれば良い。この閉鎖操作によって、ガイド溝形成部材６０ａ，６０ａは上部ケース１０４ａの内側に挿入されるように構成されている。
尚、下部ケース１０４ｂの、ガイド溝形成部材６０ａ，６０ａの各外側に相当する位置からは、ノブ７０を回転可能に支持するノブ支持板７０ａが延びており、上部ケース１０４ａを下部ケース１０４ｂに対して閉じた後は、下部ケース１０４ｂの両側面に設けられたノブ７０を手動で時計回りに回転操作すれば、上部ケース１０４ａ側に形成された薄い入り江状の係合凹部７２が、ノブ７０のネック部とノブ支持板７０ａの間で締め付けられて、上部ケース１０４ａと下部ケース１０４ｂとは閉じられた状態でロックされる。ノブ７０と係合凹部７２からなるこのロック機構は、フィルムマガジン１０１の両側面に設けられている。
【００４３】
タイミングプーリ１０８、１１０ａ，１１０ｂ，１１０ｃ，１１０ｄ，１１０ｅ，１１０ｆ，１１６，１１７は、その名称の通り、タイミングベルト３０の内面に形成されたラック状の歯と係合する歯を備えているが、これらのタイミングプーリ、すなわち、駆動ローラとしてのタイミングプーリ１０６を除く全てのタイミングプーリはいずれも、図１１に例示されたタイミングプーリ１１０ｆに代表されるように、左右のタイミングプーリは互いに回転自在に、すなわち具体的にはボールベアリング１１０Ｐを介して、軸１１０Ｓ上に支持されている。したがって、コア１４０をフィルムマガジン１０１に対して着脱する際などに、タイミングベルト３０の内面の歯とこれらのタイミングプーリの間で歯飛びが生じても、タイミングベルト３０の中途部分に局部的な延び縮みが維持されることはない。
尚、説明上の便宜のために、図８では、ケース部材を二点鎖線で、ケース部材上に設けられた各構成部品を実線で記し、図９から図１２については、これらの全てを原則的に実線で記し、これらを更に覆うポリカーボネート等の透明樹脂製のカバー部材８０を二点鎖線で記している。また、図１３と１４については、カバー部材８０が示す外形を実線で示している。
【図面の簡単な説明】
【図１】本発明によるフィルムマガジンの一実施形態を示す斜視図
【図２】図１のフィルムマガジンの正面図
【図３】図１のフィルムマガジンの側面図
【図４】図２のフィルムマガジンの別の状態を示す正面図
【図５】図２のフィルムマガジンのさらに別の状態を示す正面図
【図６】本発明によるフィルムマガジンの別実施形態を示す正面図
【図７】本発明によるフィルムマガジンのさらに別の実施形態を示す正面図
【図８】本発明によるフィルムマガジンのもう一つの別実施形態を示す斜視図
【図９】図８のフィルムマガジンの側面図
【図１０】図８のフィルムマガジンの背面図
【図１１】図８のフィルムマガジンの平面図
【図１２】図８に対応する別の状態におけるフィルムマガジンの側面図
【図１３】図８のフィルムマガジンの開閉操作を示す側面図
【図１４】コアの出し入れを説明する側面図
【図１５】フィルムマガジン従来例を示す斜視図
【図１６】フィルムマガジンの別の従来例を示す斜視図
【符号の説明】
４      ケース体
６，８  タイミングプーリ
１０    タイミングプーリ
１２    ロッド
１４    ブラケット
１６    テンションプーリ
３０    タイミングベルト
４０    コア
４５    フィルムガイド
ＰＦ    フィルム
ＲＭ    ロール体
【図１】
0003562620.tif 000002
【図２】
0003562620.tif 000003
【図３】
0003562620.tif 000004
【図４】
0003562620.tif 000005
【図５】
0003562620.tif 000006
【図６】
0003562620.tif 000007
【図７】
0003562620.tif 000008
【図８】
0003562620.tif 000009
【図９】
0003562620.tif 000010
【図１０】
0003562620.tif 000011
【図１１】
0003562620.tif 000012
【図１２】
0003562620.tif 000013
【図１３】
0003562620.tif 000014
【図１４】
0003562620.tif 000015
【図１５】
0003562620.tif 000016
【図１６】
0003562620.tif 000017